(57)【要約】【課題】  ヘッドセット装置の無線通信や通話機能にボイスレコーダ機能を設けて多機能化を図る。【解決手段】  ヘッドセット装置の、筐体内に、スピーカ２０とマイクロホン２１と液晶表示器１４及び近距離無線方式の無線送受信モジュールのブルートゥースモジュール２５とＵＳＢモジュール２７とに加えてボイスレコーダモジュール２９を設け、内部メモリ２２や再生記録処理部２４を利用して音声信号を記録再生することを可能とさせる。【選択図】  図６
2006086747.tif 000002
【特許請求の範囲】
【請求項１】
筐体内に、近距離無線方式の無線送受信モジュールと、スピーカと、マイクロホンと、液晶表示器とが設けられ、前記筐体に設けた耳掛け部を介して使用者の耳殻に装着して前記近距離無線方式によって携帯電話機を中継して相手側とのハンズフリー通話を行うヘッドセット装置において、
ユニバーサルシリアルバス規格ハブ及びユニバーサルシリアルバス規格モジュールと、記録再生が可能な内部メモリと、音声信号を認識して所定の圧縮処理を行うとともに圧縮化された音声信号を復調するボイスレコーダモジュールと、前記スピーカから音声を出力させかつ前記マイクロホンにより集音した音声を音声信号に変換し或いは前記ボイスレコーダモジュールに音声信号を供給し又は前記ボイスレコーダモジュールから音声信号が供給されるとともに前記内部メモリに対して当該音声信号を記録させる再生記録処理部とを備え、
前記内部メモリに通話や会話の内容を記録するボイスレコーダ機能を有することを特徴とするヘッドセット装置。
【請求項２】
前記筐体に外部メモリ媒体を挿脱するメモリ挿脱口が設けられるとともに、前記再生記録処理部により前記メモリ挿脱口から挿入された前記外部メモリ媒体に対して情報の記録再生処理を行うことを特徴とする請求項１に記載のヘッドセット装置。
【発明の詳細な説明】
【技術分野】
【０００１】
本発明は、携帯電話機等の外部機器と無線接続されて信号の授受が行われ、例えば使用者が耳殻に装着して使用することによりハンズフリー通話を可能とするヘッドセット装置に関する。
【背景技術】
【０００２】
携帯電話機には、無線送受信部とスピーカとマイクロホンとを有して使用者の頭部等に装着して用いられるヘッドセット装置を付帯装置として、近距離無線方式によって電話機本体と接続することを可能とする仕様を有するものが提供されている。携帯電話機は、かかるヘッドセット装置を用いることによって電話機本体を把持することなく通話が可能とされるいわゆるハンズフリー機能が付加され、使い勝手の向上が図られるようになる。
【０００３】
携帯電話機は、ヘッドセット装置をブルートゥース（Bluetooth）無線方式によって無線接続する。ブルートゥース無線方式は、２．４ＧＨｚ周波数帯域の搬送電波を用いて、１０Ｍ程度の近距離間に設置された携帯電話機やパーソナルコンピュータ或いはデジタル機器間で相互認識の基に信号授受を行うことを可能とする近距離無線方式である。ブルートゥース無線方式においては、ブルートゥースモジュールが比較的廉価で汎用性が大きく、また小型軽量で低消費電力化も図られていることから各種のモバイル機器への搭載が図られている。ブルートゥースモジュールを備えたヘッドセット装置としては、例えば特許文献１に提案されている。
【０００４】
一方、パーソナルコンピュータシステム等においては、ユニバーサルシリアルバス（Universal Serial Bus。以下、ＵＳＢと称する。）規格により規格化されたインタフェースやハブからなるＵＳＢ機能を備えた構成機器間において、ＵＳＢ接続を行って情報等の相互授受が行われる（例えば、特許文献２参照。）。携帯電話機においても、かかるＵＳＢ機能を搭載することにより、パーソナルコンピュータシステムの周辺機器を構成して情報等の相互授受が行われるようにもなっている。
【特許文献１】特開２００４−１２０３１３号公報
【特許文献２】特開２００４−１３９５１２号公報
【発明の開示】
【発明が解決しようとする課題】
【０００５】
ところで、携帯電話機においては、さらなる多機能化、複合機能化が図られており、大型液晶画面や大容量のメモリ或いは情報コネクタ等を備えることによって単なる通話手段として位置付けされるばかりでなく、いわゆる情報端末機器としての比重も大きくなっている。携帯電話機においては、例えばインターネット網や音楽配信サービス網と接続して種々の情報やコンテンツを入手し、これらの情報をスピーカや液晶画面から出力するとともにパーソナルコンピュータや適宜の記録媒体に転送して記録するといった機能も備えるようになっている。
【０００６】
また、携帯電話機においては、通話の途中で内容を内蔵メモリに録音するいわゆるメモ録機能も備えられており、通話後に再生してその内容を確認することを可能とする。さらに、携帯電話機においては、録音内容を例えばＵＳＢ接続を行ったパーソナルコンピュータ等に転送する機能も備えている。しかしながら、携帯電話機においては、ヘッドセット装置を用いてハンズフリー通話を行っている場合に、メモ録が必要となっても咄嗟に対応することができないといった問題があった。
【０００７】
ヘッドセット装置は、携帯電話機に上述した新機能が搭載される場合にハンズフリー通話化が必須となることから、付加装置としてその対応機能の要求が極めて大きくなっている。しかしながら、ヘッドセット装置においては、その機能上、小型軽量で低消費電力の仕様が必須であることから、従来ではもっぱらハンズフリー通話を行うための単機能の付属装置として位置付けられており、携帯電話機との無線接続を行うためのブルートゥース機能や入出力手段としてのスピーカ及びマイクロホンのみが搭載されていた。
【０００８】
ところで、各種の電子技術においては、高集積化技術や微細配線化技術或いは実装技術等の目覚ましい進歩によって、ブルートゥースモジュールの小型化が図られるとともにスピーカやマイクロホンも高性能仕様を保持しつつ小型化が図られている。ヘッドセット装置においても、かかる電子技術を採用することによって小型軽量化が図られるようになってきたが、主機器である携帯電話機の多機能化に伴って様々な用途に対応可能な多機能化が必要となっている。
【０００９】
したがって、本発明は、従来携帯電話機と無線接続されてもっぱらハンズフリー通話用にのみ用いられていた単機能の仕様から、内蔵するスピーカとマイクロホンとを利用していわゆるボイスレコーダ機能やパーソナルコンピュータシステムの外付け無線ディバイス等の機能を奏して多機能化を図ったヘッドセット装置を提供することを目的に提案されたものである。
【課題を解決するための手段】
【００１０】
上述した目的を達成する本発明にかかるヘッドセット装置は、筐体内に、近距離無線方式の無線送受信モジュールと、スピーカと、マイクロホンと、液晶表示器とが設けられ、筐体に設けた耳掛け部を介して使用者の耳殻に装着して近距離無線方式によって携帯電話機を中継して相手側とのハンズフリー通話を行う。ヘッドセット装置は、ユニバーサルシリアルバス規格ハブ及びユニバーサルシリアルバス規格モジュールと、記録再生が可能な内部メモリと、音声信号を認識して所定の圧縮処理を行うとともに圧縮化された音声信号を復調するボイスレコーダモジュールと、スピーカから音声を出力させかつマイクロホンにより集音した音声を音声信号に変換し或いはボイスレコーダモジュールに音声信号を供給し又はボイスレコーダモジュールから音声信号が供給されるとともに内部メモリに対して当該音声信号を記録させる再生記録処理部とを備える。
【００１１】
ヘッドセット装置は、例えば携帯電話機と近距離無線方式により無線接続されて用いられ、携帯電話機を把持せずに相手側とハンズフリー通話が行われるようにする。また、ヘッドセット装置においては、携帯電話機やパーソナルコンピュータ等の外部機器と近距離無線方式による無線接続或いはユニバーサルシリアル規格に基づく接続が行われて、種々の情報等の授受を行う外付け周辺機器としても機能する。さらに、ヘッドセット装置においては、スピーカとマイクロホンとを入出力部としてボイスレコーダモジュールと内部メモリと再生記録処理部とにより音声信号を記録再生するボイスレコーダの機能も奏する。ヘッドセット装置においては、携帯電話機の通話内容をメモ録したり、会話内容を録音したり、例えば携帯電話機の内蔵カメラで撮像した状況を録音するといった使用態様も可能である。
【００１２】
ヘッドセット装置は、筐体に外部メモリ媒体を挿脱するメモリ挿脱口が設けられるとともに、再生記録処理部によりメモリ挿脱口から挿入された外部メモリ媒体に対して情報の記録再生処理を行う。ヘッドセット装置においては、内部メモリと外部機器或いはメモリ挿脱口から挿入された外部メモリ媒体との間で情報等の授受が行われるようにするとともに、これら情報等を再生処理部により再生して出力する。ヘッドセット装置においては、例えば外部機器や外部メモリ媒体から得た音楽情報等を内部メモリに保有する。したがって、ヘッドセット装置においては、その都度外部機器との接続を行ったり外部メモリ媒体
を挿脱操作することなく内部メモリに記憶された大量の音楽情報等をスピーカから出力して聴取することで、使い勝手の向上を図ったオーディオ機能が奏されるようになる。
【発明の効果】
【００１３】
以上のように構成された本発明にかかるヘッドセット装置によれば、無線送受信部とスピーカとマイクロホンとに加えてユニバーサルシリアルバス規格の接続機能と内部メモリと再生記録処理部とを備えることにより、近距離無線方式やユニバーサルシリアルバス規格による外部機器との間で情報等の授受が行われるようにするとともに外部メモリ媒体に記憶された情報等の利用も可能となり、様々な利用形態を創出して多機能化が図られる。ヘッドセット装置によれば、新たにスピーカとマイクロホン及び内部メモリと再生記録処理部とによって音声信号を入出力するボイスレコーダとしての機能も奏するようになり、使い勝手の向上と多機能化が図られる。
【発明を実施するための最良の形態】
【００１４】
以下、本発明の実施の形態について図面を参照して詳細に説明する。実施の形態として示したヘッドセット装置１０は、詳細を後述するようにブルートゥース無線方式に基づく無線接続機能（以下、ブルートゥース機能と称する。）と、ユニバーサルシリアルバス規格に基づく接続機能（以下、ＵＳＢ機能と称する。）とを備える。ヘッドセット装置１０は、ブルートゥース機能に設定（以下、ブルートゥースモードと称する。）し、図１に示すように使用者Ｍの頭部に装着して携帯電話機１と無線接続して用いられる。ヘッドセット装置１０は、使用者Ｍが携帯電話機１を中継装置としてこの携帯電話機１を把持することなく接続先との通信を行うことを可能とさせるハンズフリー通話機能が奏される。
【００１５】
また、ヘッドセット装置１０は、図２に示すようにブルートゥースモードに設定して、携帯電話機１或いはパーソナルコンピュータ２やプリンタ３等のシステム構成機器と接続されて情報等の授受を行う周辺機器を構成する。ヘッドセット装置１０は、ＵＳＢ機能に設定(以下、ＵＳＢモードと称する。）して、携帯電話機１或いはパーソナルコンピュータ２やプリンタ３等のシステム構成機器と直接接続されて、情報等の授受を行う周辺機器を構成する。
【００１６】
ヘッドセット装置１０は、詳細を後述するように書き換え可能なフラッシュメモリ等の内部メモリ２２を有するとともに、カード状の外部メモリ媒体４の挿脱機能とを有し、これらの内部メモリ２２と外部メモリ媒体４とを利用することにより大きな容量の情報等を保有するとともに利用することが可能である。ヘッドセット装置１０は、ブルートゥースモードやＵＳＢモードの状態で携帯電話機１やパソコンシステムから得た情報等を内部メモリ２２に記憶し、必要に応じて内部メモリ２２を動作させて（以下、内部メモリモードと称する。）これらの情報を利用することが可能である。
【００１７】
ヘッドセット装置１０は、外部メモリ媒体４が挿入されるとこれを動作させて（以下、外部メモリモードと称する。）記憶された情報等を利用する。また、ヘッドセット装置１０は、外部メモリ媒体４に記録された情報等を例えば内部メモリ２２に取り込んで記憶するとともに、内部メモリ２２に記憶した情報等を取り出して外部メモリ媒体４に記憶させる。
【００１８】
ヘッドセット装置１０は、後述するようにボイスレコーダ部２９を備えており、音声信号を入出力するボイスレコーダ機能に設定した状態で上述したハンズフリー通話を行いながら通話内容を内部メモリ２２に記憶するいわゆるメモ録を行うことが可能である。ヘッドセット装置１０は、後述するマイクロホン２１とボイスレコーダ部２９とにより、マイクロホン２１で集音した音声信号をボイスレコーダ部２９を介して内部メモリ２２や外部メモリ媒体４に記録することが可能である。ヘッドセット装置１０は、後述するスピーカ
２０とボイスレコーダ部２９とにより、内部メモリ２２や外部メモリ媒体４に記録した音声信号を再生して音声出力する。
【００１９】
ヘッドセット装置１０は、図３乃至図５に示すように、合成樹脂材によって下方部位がカットされた略半卵形に形成された筐体１１と、この筐体１１の下方部位に対して着脱されるキャップ体１２と、筐体１１の頂点部位に設けられた耳掛け部材１３とによって外観部材を構成する。ヘッドセット装置１０は、筐体１１にキャップ体１２を組み合わせた状態で、全体が略卵形の外観を呈する。
【００２０】
ヘッドセット装置１０は、詳細を省略するが筐体１１のカットされた下方部位の外周部に係合段部が形成されるとともにキャップ体１２の開口縁に係合段部が形成され、キャップ体１２を下方部位に押し込むことによって相対する係合段部が係合して一体化される。なお、ヘッドセット装置１０は、筐体１１とキャップ体１２とをねじ合わせ構造により一体化するようにしてもよい。また、ヘッドセット装置１０は、キャップ体１２を例えば薄肉の連結片を介して筐体１１と一体に形成することにより、取り外した際にも紛失しないように構成してもよい。
【００２１】
耳掛け部材１３は、筐体１１に対して、その頂点部位に一端部を固定されるとともに筐体１１の第１側面１１ｃに沿って片持ち状態で組み付けられている。耳掛け部材１３は、ゴム系材或いは合成樹脂材によって弾性変形が自在な弧状のアーム体によって構成されており、筐体１１の第２主面１１ｂを耳穴にあてがった状態で筐体１１の側方側に拡げて使用者Ｍの耳殻Ｍｊに対して装着操作が行われる。耳掛け部材１３は、筐体１１の側縁部との間で耳殻Ｍｊを挟み込むことで、ヘッドセット装置１０を筐体１１の第２主面１１ｂが耳穴にあてがわれた状態で保持されるようにする。
【００２２】
なお、耳掛け部材１３は、ヘッドセット装置１０の未使用時において、適宜の構造により筐体１１に収納するようにして邪魔にならないようにしてもよい。また、耳掛け部材１３は、筐体１１と一体に形成されるようにしてもよい。さらに、耳掛け部材１３は、筐体１１に対して着脱自在として使用時にのみ取り付けるようにしてもよい。
【００２３】
ヘッドセット装置１０には、耳殻Ｍｊに装着した状態で外側となる図３に示す筐体１１の第１主面１１ａに、液晶表示器１４と複数個の押しボタンが配列された操作部１５とが並んで設けられている。ヘッドセット装置１においては、ブルートゥースモードの設定状態で携帯電話機１或いはパーソナルコンピュータ２やプリンタ３等との接続が行われて信号の授受が行われる際に、例えば液晶表示器１４によって信号の授受の状態が表示されるようにする。ヘッドセット装置１０においては、ＵＳＢモードの設定状態で携帯電話機１或いはパーソナルコンピュータ２やプリンタ３等と接続され、液晶表示器１４によって信号の授受の状態が表示されるようにする。ヘッドセット装置１０においては、内部メモリモードや外部メモリモードの設定状態で、内部メモリ２２や挿入された外部メモリ媒体４に記憶された情報等の内容が液晶表示器１４によって表示されるようにする。ヘッドセット装置１０においては、液晶表示器１４によって種々の操作内容や情報等が表示されるようにする。
【００２４】
ヘッドセット装置１０は、操作部１５の各押しボタンを操作することにより、例えば電源のオンオフ操作、上述した各モードの切替操作、液晶表示器１４の表示切換操作或いはボリューム調整操作等が行われるようにする。ヘッドセット装置１０は、例えば操作部１５の操作ガイダンスが液晶表示器１４に表示されるようにしてもよい。なお、ヘッドセット装置１０は、液晶表示器１４が上述した項目を表示するばかりでなく、適宜の項目を表示するように構成してもよいことは勿論である。
【００２５】
ヘッドセット装置１０には、図４に示すように筐体１１の下方部位に周知のＵＳＢハブ１６が設けられている。ヘッドセット装置１０においては、ＵＳＢハブ１６が相手側機器に設けたＵＳＢプラグに差し込まれて接続が行われることから、筐体１１から突出させて設ける必要がある。ヘッドセット装置１０においては、上述したように筐体１１にキャップ部材１２を組み合わせることにより未使用時にＵＳＢハブ１６が被覆されるようにし、このＵＳＢハブ１６を保護するとともに耳殻Ｍｊに装着した状態で耳当たりを良好としかつ外観が保持されるようにする。
【００２６】
なお、ヘッドセット装置１０においては、筐体１１に対してＵＳＢハブ１６をヒンジ構造を介して組み合わせるようにすることにより、使用時に筐体１１から突出させるようにしてもよい。ヘッドセット装置１０は、かかる構造を備える場合に、ＵＳＢハブ１６を保護するキャップ部材１２が不要となる。
【００２７】
ヘッドセット装置１０には、図５に示すように筐体１１に、耳掛け部材１３が延在する第１側面１１ｃと対向する第２側面１１ｄに開口して外部メモリ媒体４が挿脱操作されるメモリ挿脱口１７が設けられている。メモリ挿脱口１７は、外部メモリ媒体４の断面寸法よりもわずかに大き目の開口寸法を有して第２側面１１ｄに高さ方向のスリット状に開口される。メモリ挿脱口１７には、詳細を省略するが内部に外部メモリ媒体４に設けられた所定のピン数を有するコネクタに対応してコネクタが備えられている。メモリ挿脱口１７は、開口部から挿入された外部メモリ媒体４を保持するとともに、相対するコネクタ接続が行われるようにする。
【００２８】
ヘッドセット装置１０には、耳殻Ｍｊに装着した状態で内側となる筐体１１の第２主面１１ｂに、スピーカ孔１８とマイク孔１９とが設けられている。ヘッドセット装置１０には、詳細を省略するが筐体１１の内部に、スピーカ孔１８と対向してスピーカ２０が配置されるとともにマイク孔１９と対向してマイクロホン２１が配置されている。マイクロホン２１としては、例えば小型で指向性の高いコンデンサーマイクロホンが用いられる。
【００２９】
なお、ヘッドセット装置１０は、上述したように筐体１１に対してキャップ部材１２を組み合わせる構造であることから、キャップ部材１２側にマイク孔１９とマイクロホン２１とを設けるようにしてもよい。ヘッドセット装置１０は、かかる構造の場合に、筐体１１とキャップ部材１２とにコネクタ構造を設けて、マイクロホン２１が筐体１１側の回路部に接続されるようにする。
【００３０】
ヘッドセット装置１０においては、携帯電話機２から送信された音声信号や内部メモリ２２或いは外部メモリ媒体４から再生された情報、例えば音楽情報がスピーカ２０から出力される。ヘッドセット装置１０においては、例えばブルートゥースモードに設定した状態で、使用者Ｍの音声がマイクロホン２１によって集音され、音声信号に変換されて携帯電話機１に送信されるようにして、この携帯電話機１から相手側への送信が行われる。
【００３１】
ヘッドセット装置１０は、操作部１５の押しボタン操作により上述したブルートゥースモードと、ＵＳＢモードと、内部メモリモードと、外部メモリモードとの使い分けが可能である。ヘッドセット装置１０は、上述した液晶表示器１４と、スピーカ２０と、マイクロホン２１と、ＵＳＢハブ１６とともに、内部メモリ２２や後述する回路部を搭載した制御基板２３が筐体１１内に収納されている。ヘッドセット装置１０には、図示しないが電源として充電が可能な小型の二次電池が備えられている。
【００３２】
ヘッドセット装置１０は、内部メモリ２２にフラッシュメモリを用いることによって適宜の情報が書き込み及び読み出し可能とされる。ヘッドセット装置１０には、図６に示すように内部メモリ２２或いは外部メモリ媒体４から記憶された情報等を再生するとともに
情報等を記録するために、再生記録処理部２４が備えられる。ヘッドセット装置１０には、ブルートゥース機能による携帯電話機１或いはパーソナルコンピュータ２やプリンタ３等と無線接続して情報等の授受を行うためにブルートゥースチップアンテナ２６を有する１チップ化されたブルートゥースモジュール２５が備えられる。ヘッドセット装置１０には、ＵＳＢ機能による携帯電話機１或いはパーソナルコンピュータ２やプリンタ３等と接続して情報等の授受を行うために、上述したＵＳＢハブ１６とともに１チップ化されたＵＳＢモジュール２７が備えられる。ヘッドセット装置１０には、全体の動作を制御するために、ＣＰＵ（Central Processing Unit）等を有する制御処理部２８が備えられる。
【００３３】
ヘッドセット装置１０には、ボイスレコーダ機能を奏するために、１チップ化されたボイスレコーダジュール２９が備えられる。ボイスレコーダモジュール２９は、マイクロホン２１で集音された音声信号を認識して再生記録処理部２４を介して内部メモリ２２や外部メモリ媒体４に圧縮して記録するとともに記録信号を再生するＶＯＲ（Voice Operated Recording）機能を有している。
【００３４】
ヘッドセット装置１０においては、上述した各回路部を構成するモジュール部品や電子部品或いはＬＳＩ素子やＩＣ素子が高集積化の対応を図られた制御基板２３に実装され、この制御基板２３が筐体１１の内部に収納されて構成される。ヘッドセット装置１０においては、制御基板２３に上述した液晶表示器１４やスピーカ２０或いはＵＳＢハブ１６を所定の位置に搭載することによって、基板数を減らして構造や組立工程の簡易化が図られている。ヘッドセット装置１０においては、筐体１１側にマイクロホン２１を備える場合に、このマイクロホン２１も制御基板２３に実装されるようにする。
【００３５】
以上のように構成されたヘッドセット装置１０においては、電源のオン状態で使用者Ｍにより操作部１５の押しボタン操作が行われて所定のモードに設定される。ヘッドセット装置１０においては、使用の態様によって、図１に示すように耳掛け部材１３によって使用者Ｍの耳殻Ｍｊに装着されて用いられるとともに、図２に示すように手持ちの状態で用いられる。
【００３６】
ヘッドセット装置１０においては、ブルートゥースモードの設定状態において図１に示すように使用者Ｍの耳殻Ｍｊに装着され、携帯電話機１に着信があり使用者Ｍがハンズフリー操作を行うことによって相手側との通話を行うようにする。ヘッドセット装置１０においては、携帯電話機１から送信される相手側の音声信号がブルートゥースチップアンテナ２６とブルートゥースモジュール２５とによって受信され、制御処理部２８を介してスピーカ２０から音声出力される。ヘッドセット装置１０においては、マイクロホン２１によって集音した使用者Ｍの音声が制御処理部２８に送られて所定の信号処理を行われ、ブルートゥースモジュール２５とブルートゥースチップアンテナ２６を介して携帯電話機１へと送信されるようにする。
【００３７】
ヘッドセット装置１０には、ブルートゥースモードの設定状態において、携帯電話機１の接続先である例えば音楽情報の配信先から配信された音楽情報がこの携帯電話機１を介して供給される。ヘッドセット装置１０においては、使用者Ｍの耳殻Ｍｊに装着された状態で、この音楽情報をスピーカ２０から出力して直接聴取する。ヘッドセット装置１０においては、手持ち状態で操作部１５によって内部メモリモードの設定操作を行い、音楽情報を制御処理部２８に取り込んで所定の信号処理を施した後に再生記録部２４により内部メモリ２２に記録する。ヘッドセット装置１０においては、内部メモリモードの設定状態で操作部１５によって再生操作を行うことにより、再生記録部２４が内部メモリ２２から記憶された音楽情報を読み出して制御処理部２８を介してスピーカ２０から出力されるようにする。なお、ヘッドセット装置１０は、使用者Ｍの耳殻Ｍｊに装着された状態で音楽情報が聴取される。
【００３８】
ヘッドセット装置１０においては、ブルートゥースモードの設定状態において、ブルートゥースチップアンテナ２６とブルートゥースモジュール２５とを介してコンピュータシステムとの無線接続が行われる。ヘッドセット装置１０は、手持ちした状態で例えばパーソナルコンピュータ２から情報等の提供を受けて内部メモリ２２に記憶し、必要に応じて再生操作を行ってスピーカ２０や液晶表示器１４から出力されるようにする。また、ヘッドセット装置１０は、内部メモリ２２に記憶された情報を、ブルートゥース機能によってパーソナルコンピュータ２へと送信する。
【００３９】
ヘッドセット装置１０においては、ＵＳＢモードの設定状態において、図４に示すように筐体１１からキャップ部材１２が取り外されてＵＳＢハブ１６が露出される。ヘッドセット装置１０においては、手持ちされてＵＳＢハブ１６が携帯電話機１或いはパーソナルコンピュータ２やプリンタ３側のＵＳＢハブに差し込まれてＵＳＢ接続が行われる。
【００４０】
ヘッドセット装置１０においては、携帯電話機１やパーソナルコンピュータ２からＵＳＢ機能により情報の提供を受け、これら情報が制御処理部２８を介して再生記録処理部２４により内部メモリ２２に書き込まれる。ヘッドセット装置１０においては、内部メモリモードの設定状態において、操作部１５により再生操作が行われることによって、内部メモリ２２から記憶された情報等がスピーカ２０や液晶表示器１４から出力されるようにする。また、ヘッドセット装置１０は、ブルートゥース機能或いはＵＳＢ機能により、内部メモリ２２に記憶された情報を携帯電話機１やパーソナルコンピュータ２へと送信する。
【００４１】
ヘッドセット装置１０には、メモリ挿脱口１７から外部メモリ媒体４が挿入される。ヘッドセット装置１０においては、外部メモリモードの設定状態において、外部メモリ媒体４に記憶された情報が再生記録処理部２４によって読み出されて制御処理部２８を介してスピーカ２０或いは液晶表示器１４から出力されるようにする。ヘッドセット装置１０においては、中継装置として、外部メモリ媒体４に記憶された情報をブルートゥース機能或いはＵＳＢ機能により、携帯電話機１やパーソナルコンピュータ２へと供給する。
【００４２】
ヘッドセット装置１０においては、例えばハンズフリー通話を行っている際に、ボイスレコーダ機能の設定操作が行われると通話内容を内部メモリ２２に記録することが可能である。ヘッドセット装置１０においては、携帯電話機１から送信される相手側の音声信号を制御処理部２８を介してボイスレコーダモジュール２９に供給し、このボイスレコーダモジュール２９において音声信号の認識が行われるとともに所定の圧縮処理を行って再生記録処理部２４に出力する。ヘッドセット装置１０においては、再生記録処理部２４が、この音声信号を内部メモリ２２に記録する。
【００４３】
また、ヘッドセット装置１０においては、マイクロホン２１で集音された使用者Ｍの音声信号が制御処理部２８を介してボイスレコーダモジュール２９に供給され、このボイスレコーダモジュール２９において所定の圧縮処理を行って再生記録処理部２４へと出力する。ヘッドセット装置１０においては、再生記録処理部２４が、この音声信号を内部メモリ２２に記録する。なお、ヘッドセット装置１０においては、メモリ挿脱口１７から外部メモリ媒体４が挿入された状態において、上述した各音声信号を外部メモリ媒体４に記録するようにしてもよい。
【００４４】
ヘッドセット装置１０においては、携帯電話機１やパーソナルコンピュータ２を介在させることなく、音声信号を内部メモリ２２や外部メモリ媒体４に記録することが可能である。ヘッドセット装置１０においては、ボイスレコーダ機能に設定した状態で記録操作が行われることにより、マイクロホン２１で集音した音声信号が制御処理部２８を介してボイスレコーダモジュール２９に供給され、このボイスレコーダモジュール２９において所
定の圧縮処理を行って再生記録処理部２４へと出力する。ヘッドセット装置１０においては、再生記録処理部２４が、この音声信号を内部メモリ２２或いは外部メモリ媒体４に記録する。
【００４５】
ヘッドセット装置１０においては、ボイスレコーダ機能に設定した状態で再生操作が行われることにより、再生記録処理部２４が内部メモリ２２或いは外部メモリ媒体４に記録された音声信号を再生してボイスレコーダモジュール２９へと出力する。ヘッドセット装置１０においては、この再生出力に対してボイスレコーダモジュール２９において所定の信号処理を行い、制御処理部２８を介してスピーカ２０から出力されるようにする。なお、ヘッドセット装置１０においては、内部メモリ２２或いは外部メモリ媒体４に記録された音声信号をブルートゥース機能或いはＵＳＢ機能によりパーソナルコンピュータ２等へと供給することも可能である。
【００４６】
ヘッドセット装置１０については、代表的な使用例を上述したが、ブルートゥース機能やＵＳＢ機能或いは内部メモリ２２と外部メモリ媒体４とを巧に使い分けることにより、さらに情報等を多様に処理することが可能である。ヘッドセット装置１０においては、携帯電話機１とハンズフリー通話以外の使用形態中に携帯電話機１に着信があった場合に、液晶表示器１４やスピーカ２０によって着信報知が行われるように構成してもよい。ヘッドセット装置１０には、携帯電話機１側から着信検出の信号がブルートゥース機能によって送信される。ヘッドセット装置１０においては、この着信検出信号を受信したブルートゥースモジュール２５から制御処理部２８に対して検出信号を出力する。
【００４７】
ヘッドセット装置１０においては、この検出信号に基づいて制御処理部２８から液晶表示器１４やスピーカ２０に対して着信報知信号が出力されて所定の報知が行われる。ヘッドセット装置１０においては、例えば制御処理部２８において現在の設定モードが検出され、ブルートゥースモードへの切り替えが行われるようにする。ヘッドセット装置１０においては、例えばスピーカ２０から音声による着信報知、或いは液晶表示器１４の表示画面に着信の表示が行われるようにする。ヘッドセット装置１０においては、着信報知の後に使用者Ｍによって操作部１５の押しボタンが操作されて応答操作を行い、ハンズフリー通話が行われるようにする。
【図面の簡単な説明】
【００４８】
【図１】実施の形態として示すヘッドセット装置を使用者の耳殻に装着して使用する状態の説明図である。
【図２】同ヘッドセット装置を手持ちで使用する状態の説明図である。
【図３】同ヘッドセット装置の正面図である。
【図４】同ヘッドセット装置において筐体からキャップ部材を取り外した状態の正面図である。
【図５】同ヘッドセット装置の側面図である。
【図６】同ヘッドセット装置の構成ブロック図である。
【符号の説明】
【００４９】
１        携帯電話機
２        パーソナルコンピュータ
３        プリンタ
４        外部メモリ媒体
１０      ヘッドセット装置
１１      筐体
１２      キャップ部材
１３      耳掛け部材
１４      液晶表示器
１５      操作部
１６      ＵＳＢモジュール
１７      メモリ挿脱口
２０      スピーカ
２１      マイクロホン
２２      内部メモリ
２３      制御基板
２４      再生記録処理部
２５      ブルートゥースモジュール
２６      ブルートゥースアンテナ
２７      ＵＳＢモジュール
２８      制御処理部
２９      ボイスレコーダモジュール
【図１】
2006086747.tif 000003
【図２】
2006086747.tif 000004
【図３】
2006086747.tif 000005
【図４】
2006086747.tif 000006
【図５】
2006086747.tif 000007
【図６】
2006086747.tif 000008